(57)【要約】【課題】水の入った容器内に立設した吸水性シートのみから形成されるペーパー加湿器の提供。【解決手段】水を収容する容器と、容器内に収容された水と、前記容器内の水に浸漬されて、水を吸水し、吸水された水を周囲に放湿するペーパー放湿体と、を具備し、前記放湿体は、容器内に立設する少なくとも一本の脚部と、前記脚部の上部で前記脚部から拡がる本体部とからなるペーパー加湿体であって、前記放湿体は、吸水性シートから形成されており、前記吸水性シートは、セルロースを主成分とする紙から形成され、前記放湿体は、疎水性ポリマー製基材に支えられることなく、前記吸水性シートのみにより吸水状態で立設状態を維持しているペーパー加湿器。【選択図】図１
2014115073.tif 000002
【特許請求の範囲】
【請求項１】
水を収容する容器と、
前記容器内に収容された水と、
前記容器内の水に浸漬されて、水を吸水し、吸水された水を周囲に放湿するペーパー放湿体と、を具備し、
前記放湿体は、容器内に立設する少なくとも一本の脚部と、前記脚部の上部で前記脚部から拡がる本体部とからなるペーパー加湿器であって、
前記放湿体は、吸水性シートから形成されており、
前記吸水性シートは、セルロースを主成分とする、吸水性を有するとともに表面強度の高い紙から形成され、前記放湿体は、疎水性ポリマー製基材に支えられることなく、前記吸水性シートのみにより吸水状態で立設状態の維持が可能であるペーパー 加湿器。
【請求項２】
請求項１に記載のペーパー加湿器において、前記吸水性シートは、３０ｍｍ以上の吸水度（縦および横）を有するとともに、前記吸水性シートの表面および／または裏面は、表面強度７以上を有する 、ペーパー加湿器。
【請求項３】
請求項１または２に記載のペーパー加湿器において、前記吸水性シートは、一層抄きまたは多層抄きにより形成された紙である、ペーパー加湿器。
【請求項４】
請求項３項に記載のペーパー加湿器において、前記吸水性シートの表面および／または裏面は、表面処理剤の塗布による表面処理がなされている、ペーパー加湿器。
【請求項５】
請求項１〜４のいずれか一項に記載のペーパー加湿器において、前記放湿体は前記放湿体の重量に対して、その重量の少なくとも５倍の重量の水を吸収可能である、ペーパー加湿器。
【請求項６】
請求項５に記載のペーパー加湿器において、前記放湿体は前記放湿体の重量に対して、その重量の少なくとも１０倍の重量の水を吸収可能である、ペーパー加湿器。
【請求項７】
請求項１〜６のいずれか一項に記載のペーパー加湿器において、前記吸水性シートは、セルロースに、サイズ剤、定着剤および紙力増強剤が加えられている 、ペーパー加湿器。
【請求項８】
請求項１〜７のいずれか一項に記載のペーパー加湿器において、前記放湿体の本体部には、多数の孔が形成されている、ペーパー加湿器。
【請求項９】
請求項８に記載のペーパー加湿器において、前記孔はレーザ加工により形成されている、ペーパー加湿器。
【請求項１０】
請求項８または９に記載のペーパー加湿器において、前記孔は、孔をあけられることにより失われるペーパー加湿体の表裏面の面積よりも、孔をあけられることにより得られる断面の面積の方が大きくなるように設定された孔径を有している 、ペーパー加湿器。
【請求項１１】
請求項８〜１０のいずれか一項に記載のペーパー加湿器において、前記孔は前記放湿体の面積１００ｃｍ２当たり少なくとも１００個以上設けられている、ペーパー加湿器。
【請求項１２】
請求項１〜１１のいずれか一項に記載のペーパー加湿器において、前記本体部には、色彩を付するように染色層が形成されている、ペーパー加湿器。
【請求項１３】
請求項１２に記載のペーパー加湿器において、水が前記放湿体中を上昇することを、色調の変化で確認可能とするように、前記本体部の少なくとも片面に、前記染色層を覆うようにマスキング層が設けられている 、ペーパー加湿器。
【請求項１４】
請求項１３に記載のペーパー加湿器において、前記マスキング層は、無機物粒子および親水性バインダーを含む水性インクまたは塗料を塗布して形成されている、 ペーパー加湿器。
【請求項１５】
請求項１に記載のペーパー加湿器において、前記本体部は、前記脚部よりも広幅のシートから形成され、該シートの両端が接合されて一体化されている、ペーパー加湿器。
【請求項１６】
請求項１５に記載のペーパー加湿器において、前記本体部は、複数個所で折り曲げられながら周囲を囲むように形成されている、ペーパー加湿器。
【請求項１７】
請求項１に記載のペーパー加湿器において、前記容器内の水には香り成分が加えられている、ペーパー加湿器。
【請求項１８】
請求項１に記載のペーパー加湿器において、前記容器がコップである、ペーパー加湿器。
【請求項１９】
請求項１に記載のペーパー加湿器に用いられるペーパー放湿体。
【請求項２０】
請求項１に記載のペーパー加湿器に用いられるペーパー放湿体と香り成分入り容器とのセット。
【発明の詳細な説明】
【技術分野】
【０００１】
本発明は、水を吸収したペーパーが放湿することにより室内を加湿するとともに、室内に装飾効果も与えることのできるペーパー加湿器に関する。
【背景技術】
【０００２】
室内の湿度を高くするために、機器内部に収容されている水分を空気中に放出し、室内の湿度を高める機能を有する加湿器として、家電製品の一つである加湿空気清浄機が知られている。この装置は、ファンで空気を吸い込みフィルターでろ過して空気を清浄にして送り出す際に、フィルターに水分を含ませ、フィルターを通過する空気を加湿して送り出すもので、加湿のために電気の消費を必要とし、また清浄機の運転による騒音の問題もある。
【０００３】
簡便な加湿器として、特許文献１には、吸水性シートからなり、前記吸水性シートは、先端へ向かって徐々に幅広となる形状の加湿エレメントを、隣接するもの同士の長辺を突き合わせて多数枚連結した扇形状のもので、吸水性シートに水を含ませ、水を含ませたシート状加湿器を切り花に接触させることで、前記シート状加湿器の表面から自然気化した水分により、前記切り花を加湿する加湿器であって、前記シート状加湿器は、裏側あるいは両側に保形用のプラスチックフィルムを重ね合わせている。
この加湿器は、切花をできるだけ長く維持するように切り花に加湿するためのもので、室内加湿を意図していないため、吸水性シートは、室内に広く放湿する形状にはなっていなく、また、特許文献１では吸水性シートについて、「毛細管現象により、水を継続的に揚水することのできるシートを指し、例えば紙、布帛（織布、不織布、編布）、スポンジなどを採用することができる。具体的には、ポリエステル繊維、ポリオレフィン系繊維、芯―鞘型あるいはサイド・バイ・サイド型の熱接着性複合繊維などからなる乾式不織布にカレンダー加工、エンボス加工あるいは樹脂加工を施した剛性のある厚手のシートなどが好適に採用することができる。」（段落[０００７]）と記載されてとおり、主として疎水性素材を利用している。
【先行技術文献】
【特許文献】
【０００４】
【特許文献１】特開２０１０−１４９８７５号公報
【発明の概要】
【発明が解決しようとする課題】
【０００５】
上記の背景技術の現状に鑑みて、本発明者らは、紙などの吸水性シート（ペーパー）が、水分をよく吸い上げ、これを保持・放湿する機能を備えており、この紙などの吸水性シートを用いて、水分の吸い上げ、放湿を行えば、電気を使用することのない加湿器を得ることができることに着目した。しかしながら、紙などによる吸水性シートによる放湿体を水の入った容器に立てかけて、吸水・放湿を行おうとすると、吸水性シートからなる放湿体を立設することが容易ではなく、特許文献１に記載のように、疎水性ポリマー基材の利用を必要とした。しかし、よりシンプルで、加湿性能を有するとともに、装飾性の高いペーパー加湿器を得るためには、疎水性ポリマーを利用することなく、紙のみを用いて、容器に立設したペーパー加湿器を得ることを解決すべき技術的課題であるとした。
【課題を解決するための手段】
【０００６】
本発明者らは、上記課題について鋭意検討の結果、本発明に到達した。
本発明第１の構成は、水を収容する容器と、前記容器内に収容された水と、
前記容器内の水に浸漬されて、水を吸水し、吸水された水を周囲に放湿するペーパー放湿体と、を具備し、前記放湿体は、容器内に立設する少なくとも一本の脚部と、前記脚部の上部で前記脚部から拡がる本体部とからなるペーパー加湿器であって、
前記放湿体は、吸水性シートから形成されており、
前記吸水性シートは、セルロースを主成分とする、吸水性を有するとともに表面強度の高い紙から形成され、前記放湿体は、疎水性ポリマー製基材に支えられることなく、前記吸水性シートのみにより吸水状態で立設状態の維持が可能であるペーパー加湿器である。
【０００７】
前記ペーパー加湿器において、前記吸水性シートは、３０ｍｍ以上の吸水度（縦および横）（ＪＩＳＰ８７８７）を有するとともに、前記吸水性シートの表面および／または裏面は、表面強度７以上（ＪＩＳＰ８１２９）を有することが好ましい。  (試験条件：ＪＩＳ  Ｐ８１１１、温度  ２３℃±１℃、湿度５０±２％ｒ．ｈ．）(試験方法：ＪＩＳＰ８１２５に準ずるが、試験片は３０秒間水に浸漬し、余剰の水分をろ紙等で取り、試験サンプルとする。)
【０００８】
前記ペーパー加湿器において、前記吸水性シートは、一層抄きまたは多層抄きにより形成された紙であることが好ましく、前記吸水性シートの表面および／または裏面は、表面処理剤の塗布による表面処理がなされていることが好ましい。
【０００９】
前記ペーパー加湿器において、前記放湿体は前記放湿体の重量に対して、その重量の少なくとも５倍の重量の水を吸収可能であることが好ましく、１０倍の重量の水を吸収可能であることがさらに好ましい。
【００１０】
前記ペーパー加湿器において、前記吸水性シートは、前記セルロースに、サイズ剤、定着剤および紙力増強剤が加えられていることが好ましい。
【００１１】
前記ペーパー加湿器において、前記放湿体の本体部には、多数の孔が形成されていることが好ましく、前記孔はレーザ加工により形成されていることが好ましい。
【００１２】
前記ペーパー加湿器において、前記孔は、孔をあけられることにより失われるペーパー加湿体の表裏面の面積よりも、孔をあけられることにより得られる断面の面積の方が大きくなるように設定された孔径を有していることが好ましい。
【００１３】
前記ペーパー加湿器において、前記孔は前記放湿体の面積１００ｃｍ２当たり少なくとも１００個以上設けられていることが好ましい。
【００１４】
前記ペーパー加湿器において、前記本体部には、色彩を付するように染色層が形成されていることが好ましい。
【００１５】
前記ペーパー加湿器において、水が前記放湿体中を上昇することを、色調の変化で確認可能とするように、前記本体部の少なくとも片面に、前記染色層を覆うようにマスキング層が設けられていることが好ましい。前記マスキング層は、無機物粒子および親水性バインダーを含む水性インクまたは塗料を塗布して形成されていることが好ましい。
【００１６】
前記ペーパー加湿器において、前記本体部は、前記脚部よりも広幅のシートから形成され、該シートの両端が接合されて一体化されていることが好ましく、また、前記本体部は、複数個所で折り曲げられながら周囲を囲むように形成されていることが好ましい。
【００１７】
前記ペーパー加湿器において、前記容器内の水には香り成分が加えられていることが好ましい。
【００１８】
前記ペーパー加湿器において、前記容器がコップであってもよい。
【００１９】
本発明第２の構成は、上記のペーパー加湿器に用いられるペーパー放湿体である。
【００２０】
本発明第３の構成は、上記のペーパー加湿器に用いられるペーパー放湿体と香り成分入り容器とのセットである。
【発明の効果】
【００２１】
本発明第１の構成のペーパー加湿器によれば、何ら電気的パワーを要することなく、また、騒音を発することもなく、広い面積を有し、好ましくは、多数の孔が形成されたペーパー放湿体が容器中の水分を吸い上げるとともに、迅速に水分を放出するので、室内を加湿することができる。しかも、放湿体は、吸水性シートから形成されており、前記吸水性シートは、セルロースを主成分とする、吸水性を有するとともに表面強度の高い紙から形成されているため、放湿体は、疎水性ポリマー製基材に支えられることなく、吸水性シートのみにより吸水状態で立設状態の維持が可能であるという特徴を有しており、シンプルな構造で、効果的に吸水・放湿ができるとともに、好ましくは、本発明に係るペーパー加湿器の放湿体・本体部には、花柄模様などの印刷が施されているので、室内装飾効果も有する。さらに、容器中の水に、アロマエッセンスを加えておけば、室内に香りが付加され、装飾効果に加えて、室内を快適にする効果が加わる。
本発明の放湿体は、上記の素材を用いるので、形態安定性を有しており、かなり日時にわたって繰り返し使用可能であり、経済的である。
容器の中に水を入れて室内に置くだけでも、室内を加湿することは一応可能であるが、
加湿効果は少なく、本発明のペーパー加湿器によれば、その約１０倍の加湿効果を与えることができる。
【００２２】
本発明第２の構成に係るペーパー放湿体は、セルロースを主成分とする、吸水性を有するとともに表面強度の高い紙から形成されているため、水分をよく吸収し、好ましくは、多数の孔が形成されていることから、放湿性にも優れている。また、セルロースを主成分とする吸水性を有するとともに表面強度の高い紙から形成されているため、形態安定性に優れており、容器に挿入して使用中に、本体部が垂れ下がることはなく、かなり長期にわたって使用することができる。
【００２３】
本発明第３の構成に係るペーパー放湿体と香り成分入り容器とのセットは、加湿効果、室内装飾効果に加え、香り成分の発散による室内の快適性向上効果を加えることができる。
【図面の簡単な説明】
【００２４】
【図１】本発明のペーパー加湿器の１態様を示す正面図である。
【図２】本発明のペーパー加湿器のペーパー放湿体を容器から取り出した状態の１態様を示す正面図である。
【図３】本発明のペーパー加湿器のペーパー放湿体の本体部の１態様を示す正面図である。
【図４】本発明のペーパー加湿器のペーパー放湿体の折りたたみ状態の１態様を上から見た上方斜視図である。
【図５】本発明のペーパー加湿器のペーパー放湿体を容器の中に挿入したときの折りたたみ状態の１態様を上から見た上方斜視図である。
【図６】本発明のペーパー加湿器のペーパー放湿体（多数の小孔があけられている）が水を吸い上げ始めた時の１態様を示す図である。
【発明を実施するための形態】
【００２５】
本発明のペーパー加湿器は、水を収容する容器と、容器内に収容された水と、前記容器内の水に浸漬して、水を吸水し、吸水された水を周囲に放湿するペーパー放湿体と、を具備し、
前記ペーパー放湿体は、吸水性シートから形成されており、
前記吸水性シートは、セルロースを主成分とする吸水性を有するとともに表面強度の高い紙から形成され、前記放湿体は、疎水性ポリマー製基材に支えられることなく、前記吸水性シートのみにより吸水状態で立設状態の維持が可能であることを特徴としている。
【００２６】
図１は、本発明のペーパー加湿器の一態様を示している。容器（コップ、花瓶など）（１）に水が入れられ、その中にペーパー放湿体（２）の脚部（３）が浸漬されており、脚部（３）から吸水された水は、ペーパー放湿体（２）の本体部（４）へと上昇し、大部分の水は本体部（４）から放出され、室内に加湿効果をもたらす。
【００２７】
図２は、本発明のペーパー加湿器の主体となるペーパー放湿体（２）を容器から取り出した状態の１態様を示している。脚部（３）は、容器の中に挿入されるので、本体部（４）より狭い幅(例えば、１〜６ｃｍ)で、細長い形状（例えば、長さ５〜１５ｃｍ）をした、複数本（例えば、３〜１０本）から構成されている。
この脚部（３）の上に本体部（４）が形成されており、脚部（３）から広がり（例えば、脚部一本当たり、１．５〜４倍に広がり）、放湿面積をできるだけ大きく取れる（例えば、高さ５〜２０ｃｍ）ように構成されている。本体部（４）および／または脚部（３）には、装飾効果を与えるために、花柄模様などの印刷が施されている。この印刷された模様は、装飾効果だけでなく、この印刷された模様により、容器の中の水が、脚部（３）から本体部（４）に上昇していく過程を視認することも可能である。さらに、花柄模様だけでなく、花柄模様の上に、モンシロ蝶、ミツバチ、カエル、コムラサキなどの小さい模型を花模様の上に貼付して装飾効果をより高めることもできる。
【００２８】
図３は、本発明における放湿体（２）の本体部（４）を示している。本体部（４）は上記のように放湿面積を大きくするために広幅に形成されているが、図３に示されているように、本体部（４）の花および葉には、多数の孔（５）が形成されており、これによって放湿効果を一段と高めることが出来る。これらの孔（５）はレーザ加工により形成することができる。
【００２９】
図４は、本発明における放湿体（２）を上から見た状態を示している。本発明の放湿体（２）は、吸水性シート(例えば、０．３〜３ｍｍの厚みを有する)に花柄模様などを平面印刷して作製されるが、印刷後に、本体部（４）の両端部を接着剤または片端に形成した突片と、他の片端に形成したスリットとの結合により、図４に示すように一体化して周囲を囲む構造にするとともに、吸水性シートに折り目をいれて折りたたみ構造とすることが取り扱いの点から好ましい。
【００３０】
図５は、本発明における放湿体（２）を折りたたんで容器（１）の中に挿入した状態を示している。放湿体（２）は折りたたまれてコンパクトな状態で容器に挿入されても、広い放湿面積を確保している。本発明における放湿体（２）は、図５に示すように、水中に立てられて、水が上方に上昇してきても、折り曲げられたり、大きな変形をおこしたりすることなく、立設状態を維持することができる。
【００３１】
図６は、本発明に係る放湿体（２）に多数の小孔（５）をあけた１態様を示している。また、放湿体を水に浸漬し始めた時の状態を示しており、水が放湿体のどこまで上がってきているか（図６において境界線６）を認識できる態様を示している。
【００３２】
(吸水性シート)
本発明においては、上記のように放湿体（２）は、吸水性であり、吸水しても立設状態を維持することのできる、セルロースを主成分とする、表面強度の高い紙から形成されている。このため、前記放湿体は、疎水性ポリマー製基材に支えられることなく、前記吸水性シートのみにより吸水状態で立設状態の維持が可能であるという特徴を有する。
【００３３】
吸水性シートは、より具体的には、３０ｍｍ以上の吸水度（縦および横）、好ましくは、４０ｍｍ以上の吸水度を有するとともに、前記吸水性シートの表面および／または裏面は、表面強度７以上、好ましくは８以上を有する。  また、吸水性シートの坪量および厚みについては、坪量、好ましくは２００〜５００ｇ／ｍ２、さらに好ましくは、３５０〜４５０ｇ／ｍ２、厚み、好ましくは０．３〜３ｍｍ、さらに好ましくは、０．５〜２ｍｍの範囲にある。
吸水性シートが高い吸水性を有するともに、表面強度が高いことにより、吸水しても立設状態を維持可能であり、また、表面強度を有することにより、印刷、レーザ加工により孔形成などの加工特性を有することができる。
吸水性シートの坪量が小さすぎると、吸水量が少なくなり、また、立設したときの形態安定性も十分でなくなる。また、坪量が大きすぎると、折り曲げ加工性が十分でなくなり、広幅の放湿面積を得ることが容易でなくなる。
【００３４】
上記の吸水性シートは、一層抄きまたは多層抄きにより形成することができる。抄紙された紙は、表面および／または裏面に表面処理剤（ポリビニルアルコール、アクリルアミド系ポリマー、酸化デンプンなど）を塗工することにより、表面平滑性、表面強度を高めることができる。また、紙を多層で形成する場合には、紙は表面層、裏面層および中間層から形成され、前記表面層および裏面層は、表面強度の高い緻密層であり、前記中間層は、吸水性の高い粗層の多層構造を有することが好ましい。
表面・裏面が、表面強度の高い平面を有することにより、水分の放出だけでなく、形態安定性（立設性）、印刷・レーザ加工特性を有する。また、中間層がセルロース主体であることにより高い吸水性を有することができる。このような吸水性シートは、下記に記載する定着剤やサイズ剤を含む組成物でシート表面を処理するか、表面層、裏面層を形成し、実質的にセルロースのみからなる吸水性に優れる組成物で中間層を形成することにより製造することができる。また、同一の組成物を用いてプレス等により表面・裏面を緻密化することにより製造することもできる。
【００３５】
上記の吸水性シートは、セルロースを主体として、（１）紙力増強剤、（２）シートに印刷等により色彩(花柄模様等)を付与するために、インク保持性を高めるための定着剤、（３）インクがにじまないようにするためのサイズ剤を加えて、シート(紙)を形成するか、これらの添加剤を含む塗工液によりシート（紙）表面を処理することが好ましい。
紙力増強剤としては、例えば、カチオン化澱粉、カチオン化ポリアクリルアミド、アニオン化ポリアクリルアミド、両性ポリアクリルアミド、カルボキシ変性ポリビニルアルコール等が挙げられる。定着剤としては、例えば、硫酸アルミニウム、塩化アルミニウム等の多価金属塩、カチオン化澱粉等のカチオン性ポリマー等が挙げられる。ｐＨ調整剤としては、例えば苛性ソーダ、炭酸ソーダ等が挙げられる。サイズ剤としては、例えば、脂肪酸塩、ロジン、マレイン化ロジン等のロジン誘導体、パラフィンワックス、アルキルケテンダイマー、アルケニル無水琥珀酸（ＡＳＡ）、エポキシ化脂肪酸アミド等が挙げられる。これらの紙力増強剤、定着剤、サイズ剤は、公知の紙製造方法に準じて、パルプに添加されて形成される吸水性シート（蒸散紙とも呼ばれる）が本発明において好ましく用いられる。
【００３６】
（レーザ加工による孔形成）
本発明のペーパー加湿器において、前記放湿体の本体部には、レーザ加工等により多数の孔が形成されることにより、模様（花柄模様等）形成による装飾性の付与とともに、放湿性を高めることが好ましい。
なかでも、前記孔は、孔をあけられることにより失われるペーパー加湿体の表裏面の面積よりも、孔をあけられることにより得られる断面の面積の方が大きくなるように設定された孔径を有していることが放湿面積の拡大の点から好ましい。このような孔は、放湿体の面積１００ｃｍ２当たりに換算して、少なくとも１００個以上設けられていることが好ましく、２００個以上設けられていることがさらに好ましい。
より具体的には、半径ｒの孔を開けると、喪失される吸水シートの表面積は表裏合わせて、πｒ２×２であり、一方、孔があけられることにより、放湿面としての増加する断面積は、２πｒ×ｈ（ｈ：シートの厚み）となるので、放湿面を増加するためには、ｈ＞ｒと なる必要がある。乾燥時のシートの厚みは、上記のように好ましくは０．３〜３ｍｍであるので、これから類推すると、これよりも小さい半径の孔を開けることにより、放湿面積を拡大することができるので、このような孔径の孔を上記の記載にあるように多数形成することが好ましい。このような孔は、装飾効果が出るように配列して形成されることが好ましい。開ける孔の形状は、円形だけでなく、三角形、四角形、楕円形、卵型等の種々の形状であってよい。
【００３７】
（マスキング層の形成）
本発明のペーパー加湿器において、  放湿体本体部には、色彩を付するように染色層が形成されることが好ましいが、なかでも、水が前記放湿体中を上昇することを、色調の変化で確認可能できることが便利である。このため、前記本体部の少なくとも片面に、前記染色層を覆うようにマスキング層を設けることにより可能となる。
マスキング部を設けた吸水性シートにおいては、印刷された花柄等の染色層に、染色層を覆うように印刷され、吸水性シートが乾燥状態にあるときには染色層が鮮明に見えないように、染色層を隠蔽するマスキング層部が形成されている。染色層は、マスキング層の色調と異なる色調の顔料５〜２０重量％、シリカやアルミナ等の光散乱性の無機物粒子５〜３５重量％、親水性アクリルバインダー５〜２５重量％、水３０〜７５重量％等からなる水性のインクまたは塗料を吸水性シートに印刷または塗布して形成されている。この染色層は、乾燥状態であると無機物粒子が光を散乱して白味を帯び、吸水した状態ではその散乱の割合が減少して白味を失い、色調が鮮やかになる。マスキング層は、シリカやアルミナ等の無機物粒子１０〜４０重量％、親水性アクリルバインダー５〜２５重量％、水４０〜８５重量％を含み、好ましくはさらに界面活性剤０．０５〜０．５重量％が加えられた水性のインクまたは塗料を吸水性シート面の染色層を覆う大きさに印刷または塗布して形成されている。このマスキング層は、乾燥状態であると光を散乱して白味を帯び、この層を透しての染色層の視認は不十分となる。しかし、吸水したときには、その散乱の割合が減少して染色層に対する透視性が良好になると同時に、染色層それ自身も色調が鮮やかになるから、マスキング層を透しての染色層の視認がきわめて容易になる。このことにより、吸水された水が放湿体中を上昇していくことを確認することが可能となる。
【００３８】
本発明のペーパー加湿器の有効性をさらに高めるために、容器の中の水にアロマエッセンスなどの芳香剤を加えて、水分放出による室内の加湿効果、染色による装飾効果だけでなく、芳香も与え、室内をより快適にすることができる。このため、粉状、粒状または液状のアロマエッセンスを適当な容器に入れて、本発明における加湿体とセットにした商品形態とすることもできる。
【００３９】
本発明におけるペーパー加湿体は、使用を中止して乾燥しても、再度、容器中の水に浸漬することにより繰り返し使用することができる。
【産業上の利用可能性】
【００４０】
本発明のペーパー加湿器は、セルロースを主体として構成されているため、吸水性が高く、しかも、吸水性シートを構成する紙は、表面強度が高いため、セルロースを主体とする吸水性シートのみで立設可能であり、疎水性ポリマーを基材とする支持体を設ける必要性がないため、シンプルで装飾性の高いペーパー加湿器である。このため、消費者が手軽に利用できるものである。このようなペーパー加湿器の製造、ペーパー加湿器の本体を構成するペーパーの製造、ペーパー加湿器本体の印刷などにおいて産業上の利用可能性を有する。
【００４１】
以上、本発明の好ましい実施態様を例示的に説明したが、当業者であれば、特許請求の範囲に開示した本発明の範囲および精神から逸脱することなく多様な修正、付加および置換ができることが理解可能であろう。
【符号の説明】
【００４２】
１      容器
２      ペーパー放湿体
３      ペーパー放湿体の脚部
４      ペーパー放湿体の本体部
５      ペーパー放湿体に形成されている孔
６      水が到達していることを示す境界線
【図１】
2014115073.tif 000003
【図２】
2014115073.tif 000004
【図３】
2014115073.tif 000005
【図４】
2014115073.tif 000006
【図５】
2014115073.tif 000007
【図６】
2014115073.tif 000008